(57)【要約】【課題】逆止弁ユニットが安定してスムーズに上下動することが可能な二重弁機構の提供を目的とする。【解決手段】本発明の二重弁機構１０では、ユニット収容管１１のフランジ部１３（本願発明に係る「弁体カバー壁」に相当する）が、逆止弁ユニット４０の環状弁体４３に上方から対向すると共に、そのフランジ部１３には、逆止弁ユニット４０の可動管４１内に常に受容された状態になる延長管１４が設けられているので、排水管９０を流れてくる液体が環状弁体４３側に流れることが確実に防がれる。これにより、排液に含まれる異物が環状弁体４３及びその周囲に堆積することが防がれると共に、環状弁体４３と固定弁口２５の開口縁との間に異物が挟まることも防がれる。【選択図】図３
2017066604.tif 000002
【特許請求の範囲】
【請求項１】
液体を排出するための排液管の一部を構成し、上下に延びたユニット収容管と、
前記ユニット収容管の上下方向の中間位置の内径を縮径してなる固定弁口と、
前記固定弁口の内側に遊嵌されて、前記ユニット収容管に上下動可能に収容された可動管に逆止弁体を取り付けてなり、流体が前記可動管内を上から下に流れることを許容する一方、下から上に流れることを禁止する逆止弁ユニットと、
前記可動管から側方に張り出し、前記固定弁口の開口縁に上方から当接して前記固定弁口を閉弁すると共に、前記固定弁口の開口縁の上方に離間して前記固定弁口を開弁する環状弁体と、
前記ユニット収容管のうち前記固定弁口から上方に離間した位置の内径を、前記可動管の上端開口より小さくなるように縮径してなり、前記環状弁体に上方から対向する弁体カバー壁と、
前記弁体カバー壁に設けられて、通過する液体全体を前記可動管内に向けて排出する中間排液口と、を有する二重弁機構。
【請求項２】
前記カバー壁に設けられて前記可動管の上端開口に向かって突出し、先端に前記中間排液口を有した延長管を有する請求項１に記載の二重弁機構。
【請求項３】
前記延長管の先端部が、常に前記可動管に遊嵌されている請求項２に記載の二重弁機構。
【請求項４】
前記ユニット収容管は、
上下方向に延びかつ上端が開口し、外面の上端部に雄螺子部を有すると共に、内面の上端寄り位置に前記固定弁口を有し、前記逆止弁ユニットを上下動可能に収容した第１パイプと、
上下方向に延び、その中間部から側方に張り出した前記弁体カバー壁としてのフランジ部を有すると共に、前記フランジ部より下側が前記延長管をなした第２パイプと、
前記第２パイプのうち前記フランジ部より上側部分に嵌合された環状天板部の外縁から筒部を垂下させかつその筒部の内面に前記雄螺子部に螺合する雌螺子部を有して、前記フランジ部を前記第１パイプの上端開口の開口縁に押し付けるキャップナットと、を備えてなる請求項２又は３に記載の二重弁機構。
【請求項５】
前記ユニット収容管は、前記排液管における封水トラップの下流側に配置される請求項１乃至４の何れか１の請求項に記載の二重弁機構。
【請求項６】
前記ユニット収容管のうち前記可動管より下側部分を絞ってなり、前記可動管の外径より小さい内径を有するユニット堰止部を備えた請求項１乃至５の何れか１の請求項に記載の二重弁機構。
【発明の詳細な説明】
【技術分野】
【０００１】
本発明は、排液管からの異臭を抑えることが可能な二重弁機構に関する。
【背景技術】
【０００２】
従来、この種の二重弁機構として、例えば、シンク等の底に備えた排水口に逆止弁ユニットを上方から挿入し、その逆止弁ユニットが有するフランジ状の環状弁体を排水口の開口縁に当接させて、排水口を「環状弁体にて開閉される固定弁口」としたものが知られている。この機構では、逆止弁ユニットの開閉により、液体（水）が上から下へと流れることを許容しつつ臭気の遡上を防止する。そして、逆止弁ユニットの閉弁状態で、下流側の液体の挙動による圧力波が遡上してきた場合に、逆止弁ユニットが上方に移動して固定弁口が開き、圧力波を逃がすようになっている（例えば、特許文献１参照）。
【先行技術文献】
【特許文献】
【０００３】
【特許文献１】特許第５６１０３０２号公報（図１０、図１１，段落［００５２］）
【発明の概要】
【発明が解決しようとする課題】
【０００４】
しかしながら、上記した従来の二重弁機構では、液体に含まれる異物が環状弁体及びその周囲に堆積して固定弁口が開弁できなくなったり、環状弁体と固定弁口の開口縁との間に異物が挟まって固定弁口が閉弁できなくなる事態が生じ得た。なお、固定弁口が開かないと、圧力波を逃がすことができず、下流側で液体がスムーズに流れなかったり、圧力波の衝撃により逆止弁ユニットの弁体が損傷する事態が生じ、固定弁口が閉じないと、異臭の発生を防ぐことができないという事態が生じ得る。
【０００５】
本発明は、上記事情に鑑みてなされたもので、逆止弁ユニットが安定してスムーズに上下動することが可能な二重弁機構の提供を目的とする。
【課題を解決するための手段】
【０００６】
上記目的を達成するためになされた請求項１の発明は、液体を排出するための排液管の一部を構成し、上下に延びたユニット収容管と、前記ユニット収容管の上下方向の中間位置の内径を縮径してなる固定弁口と、前記固定弁口の内側に遊嵌されて、前記ユニット収容管に上下動可能に収容された可動管に逆止弁体を取り付けてなり、流体が前記可動管内を上から下に流れることを許容する一方、下から上に流れることを禁止する逆止弁ユニットと、前記可動管から側方に張り出し、前記固定弁口の開口縁に上方から当接して前記固定弁口を閉弁すると共に、前記固定弁口の開口縁の上方に離間して前記固定弁口を開弁する環状弁体と、前記ユニット収容管のうち前記固定弁口から上方に離間した位置の内径を、前記可動管の上端開口より小さくなるように縮径してなり、前記環状弁体に上方から対向する弁体カバー壁と、前記弁体カバー壁に設けられて、通過する液体全体を前記可動管内に向けて排出する中間排液口と、を有する二重弁機構である。
【０００７】
請求項２の発明は、前記カバー壁に設けられて前記可動管の上端開口に向かって突出し、先端に前記中間排液口を有した延長管を有する請求項１に記載の二重弁機構である。
【０００８】
請求項３の発明は、前記延長管の先端部が、常に前記可動管に遊嵌されている請求項２に記載の二重弁機構である。
【０００９】
請求項４の発明は、前記ユニット収容管は、上下方向に延びかつ上端が開口し、外面の上端部に雄螺子部を有すると共に、内面の上端寄り位置に前記固定弁口を有し、前記逆止弁ユニットを上下動可能に収容した第１パイプと、上下方向に延び、その中間部から側方に張り出した前記弁体カバー壁としてのフランジ部を有すると共に、前記フランジ部より下側が前記延長管をなした第２パイプと、前記第２パイプのうち前記フランジ部より上側部分に嵌合された環状天板部の外縁から筒部を垂下させかつその筒部の内面に前記雄螺子部に螺合する雌螺子部を有して、前記フランジ部を前記第１パイプの上端開口の開口縁に押し付けるキャップナットと、を備えてなる請求項２又は３に記載の二重弁機構である。
【００１０】
請求項５の発明は、前記ユニット収容管は、前記排液管における封水トラップの下流側に配置される請求項１乃至４の何れか１の請求項に記載の二重弁機構である。
【００１１】
請求項６の発明は、前記ユニット収容管のうち前記可動管より下側部分を絞ってなり、前記可動管の外径より小さい内径を有するユニット堰止部を備えた請求項１乃至５の何れか１の請求項に記載の二重弁機構である。
【発明の効果】
【００１２】
［請求項１の発明］
請求項１の二重弁機構では、弁体カバー壁が逆止弁ユニットの環状弁体に上方から対向すると共に、その弁体カバー壁には、通過する液体全体を可動管内に向けて排出する中間排液口が形成されているので、液体が環状弁体側に流れることがなくなる。これにより、排液に含まれる異物が環状弁体及びその周囲に堆積することが防がれると共に、環状弁体と固定弁口の開口縁との間に異物が挟まることも防がれ、逆止弁ユニットが安定してスムーズに上下動することが可能になる。
【００１３】
［請求項２及び３の発明］
請求項２及び３の二重弁機構では、可動管の上端開口に向かって突出した延長管を弁体カバー壁に設けたので、液体が環状弁体側に流れることをより確実に防ぐことができる。
【００１４】
［請求項４の発明］
請求項４の二重弁機構によれば、キャップナットを緩めて第１パイプと第２パイプに分解することで、逆止弁ユニットの交換や二重弁機構内の清掃を容易に行うことができる。
【００１５】
［請求項５の発明］
請求項５の二重弁機構によれば、ユニット収容管が、排液管における封水トラップの下流側に配置されているので、固定弁口を通過した圧力波によって臭気が排液管外に放出されることを防ぐことができる。
【００１６】
［請求項６の発明］
請求項６の二重弁機構によれば、仮に環状弁体が破損して逆止弁ユニットが固定弁口を通過する事態が起きても、逆止弁ユニットをユニット堰止部で堰き止めて、それ以上、下流側に流れることを防ぐことができる。
【図面の簡単な説明】
【００１７】
【図１】本発明の一実施形態に係る二重弁機構の側面図
【図２】二重弁機構の固定弁口が開弁した状態の側面図
【図３】可動弁口が開弁した状態の側面図
【図４】Ｊ型パイプと第２パイプとの連結部分の拡大図
【図５】第２実施形態に係る二重弁機構の側面図
【図６】本発明の変形例に係る二重弁機構の側面図
【図７】本発明の変形例に係る二重弁機構の側面図
【発明を実施するための形態】
【００１８】
［第１実施形態］
以下、本発明の一実施形態を図１〜図４に基づいて説明する。図１には、例えば、住居のシンク９４に繋がった排水管９０（本発明の「排液管」に相当する）が示されている。排水管９０のうち図１に示された部分は、シンク９４の排水口９３から下方に延びてＵ字状に上方に折り返された後、さらにＵ字状に下方に折り返されて下方に向かって直線状に延びている。そして、その直線状に延びた部分に本発明に係る二重弁機構１０が備えられている。また、排水口９３に近い側のＵ字状の湾曲部が、本発明に係る封水トラップ９１をなしている。
【００１９】
詳細には、排水管９０は、上記したＵ字状の２つの湾曲部の中間部で分断されて、その分断部分がジョイント９２で接続されている。ジョイント９２より下流側は、逆Ｊ字形のＪ形パイプ１２Ｊに上下に直線状に延びた本発明に係る第２パイプ１２と本発明に係る第１パイプ２０とを連結してなる。
【００２０】
図４に示すように、Ｊ形パイプ１２Ｊの下端部は、第２パイプ１２に挿入されている。そして、Ｊ形パイプ１２Ｊの下端寄り位置では、第２パイプ１２より内径が大きいキャップナット３０が回転可能に嵌合していて、その内面には雌螺子部３０Ｎが形成されている。また、第２パイプ１２は、上端寄り位置から上端部にかけて、内面から外面に向かって斜めにカットされており、上端寄り位置の外周面には、雄螺子部３１Ｎが形成されている。そして、その斜めにカットされた面に防水リング３２を重ねた状態で、キャップナット３０が雄螺子部３０Ｎに締め付けられ、Ｊ型パイプ１２Ｊと第２パイプ１２とが連結されている。
【００２１】
第２パイプ１２の下端寄り位置から側方にフランジ部１３（本発明に係る「弁体カバー壁」に相当する）が張り出している。また、図２に示すように、第２パイプ１２のうちフランジ部１３より上側部分には、ドーナッツ形の環状天板部１６が回転可能に嵌合されている。また、環状天板部１６の外縁からはフランジ部１３より内径が大きな筒部１７が垂下されて、環状天板部１６と筒部１７とから本発明に係るキャップナット１５が構成され、筒部１７の内面には雌螺子部１７Ｎが形成されている。
【００２２】
第１パイプ２０は、上端部の外径が段付き状に大きくかつ肉厚も大きくなっていて、その外周面に雄螺子部２１Ｎが形成されている。また、第１パイプ２０の上端面にパッキン１９が敷設され、そのパッキン１９の上から第２パイプ１２のフランジ部１３を重ねた状態でキャップナット１５が雄螺子部２１Ｎに締め付けられ、第２パイプ１２と第１パイプ２０とが水密状態に連結されている。そして、第１パイプ２０と第２パイプ１２とキャップナット１５とから本発明に係るユニット収容管１１が構成されている。また、第２パイプ１２のうちフランジ部１３より下側部分は、本発明に係る延長管１４をなし、延長管１４の先端開口が本発明に係る中間排液口１４Ｋをなしている。
【００２３】
第１パイプ２０の内面における上端寄り位置からは、環状突状２４が張り出し、その環状突状２４の内側が本発明に係る固定弁口２５になっている。また、環状突状２４は断面四角形をなし、その上面の内側エッジ部が弁座２４Ｚになっている。
【００２４】
ユニット収容管１１の内部には、逆止弁ユニット４０が収容されている。逆止弁ユニット４０は、固定弁口２５の内側に上下動可能に遊嵌された円筒状の可動管４１に逆止弁体４９を取り付けてなる。可動管４１の下端部は、例えば、下方から上方に向かって斜めにカットされると共に、斜めのカット面の上端部に可動管４１の一部が弁体保持部４４として残されている。また、可動管４１の下端開口は、逆止弁ユニット４０の弁口としての可動弁口４５をなし、可動管４１の下端面は弁座４５Ｚをなしている。さらには、弁体保持部４４には、斜めのカット面を延長した切れ込み４４Ａが形成され、そこに例えば可撓性の樹脂シートで構成された逆止弁体４９の一部が固定されている。そして、図１に示すように、逆止弁体４９により、通常は可動弁口４５が閉弁され、図３に示すように可動管４１内を排水が流下してくると、その排水におされて逆止弁体４９が撓み、可動弁口４５が開弁する。
【００２５】
可動管４１の上端部は、上方に向かってラッパ状に拡径し、本発明に係る環状弁体４３になっている。そして、図１に示すように、環状弁体４３が弁座２４Ｚに上方から当接して固定弁口２５を閉弁し、図２に示すように、逆止弁ユニット４０が上方に移動して環状弁体４３が弁座２４Ｚの上方に離間すると固定弁口２５が開弁する。
【００２６】
本実施形態の二重弁機構１０の構成に関する説明は以上である。次に、この二重弁機構１０の作用効果について説明する。図１に示すように、シンク９４から排水管９０に水が流れ込まない状態では、封水トラップ９１と二重弁機構１０とによって排水管９０内の流路が分断される。これにより、排水管９０の下流側から臭気や虫が遡上することが防がれる。
【００２７】
排水管９０の図示しない下流側での水の挙動によって突発的に圧力波が発生して遡上して来る場合がある。すると、図２に示すように、逆止弁ユニット４０が圧力に押されて上方に移動し、これにより固定弁口２５が開弁して圧力波が二重弁機構１０を通過する。すると、封水トラップ９１内の水が押されて上流側に僅かに移動し、その水に押し返されて封水トラップ９１と逆止弁ユニット４０との間の気圧が高くなる。そして、その気圧により逆止弁体４９が開いてガスが逆止弁ユニット４０の下方に移動し、これらの間に圧力波が消滅する。
【００２８】
さて、図３に示すように、シンク９４から排水管９０に水が流れると、その水は、封水トラップ９１を通過して二重弁機構１０に至り、二重弁機構１０の逆止弁体４９を押し開いて、二重弁機構１０より更に下流側へと流れる。
【００２９】
ここで、本実施形態の二重弁機構１０では、ユニット収容管１１のフランジ部１３が、逆止弁ユニット４０の環状弁体４３に上方から対向すると共に、そのフランジ部１３には、逆止弁ユニット４０の可動管４１内に常に受容された状態になる延長管１４が設けられているので、排水管９０を流れてくる液体が環状弁体４３側に流れることが確実に防がれる。これにより、排液に含まれる異物が環状弁体４３及びその周囲に堆積することが防がれると共に、環状弁体４３と固定弁口２５の開口縁との間に異物が挟まることも防がれる。そして、上記したように逆止弁ユニット４０が圧力波を受けたときに、安定してスムーズに上下動する。
【００３０】
また、この二重弁機構１０では、キャップナット１５を緩めてユニット収容管１１を第１パイプ２０と第２パイプ１２とに分解することができるので、逆止弁ユニット４０の交換や二重弁機構１０内の清掃を容易に行うことができる。さらには、二重弁機構１０は、排水管９０における封水トラップ９１の下流側に配置されているので、二重弁機構１０を通過した圧力波によって臭気が排水管９０外に放出されることを確実に防ぐことができる。
【００３１】
なお、第１パイプ２０は、下端寄り位置で縮径され、第１パイプ２０の下端部が、逆止弁ユニット４０の外径より小さいユニット堰止部２１になっているので、仮に環状弁体４３が破損して逆止弁ユニット４０が固定弁口２５を通過する事態が起きても、逆止弁ユニット４０をユニット堰止部２１で堰き止めて、それ以上、下流側に流れることを防ぐことができる。
【００３２】
［第２実施形態］
以下、本発明の第２実施形態を図５に基づいて説明する。本実施形態の二重弁機構１０Ｘでは、環状弁体４３が上方から当接する弁座２４Ｚは、第１パイプ２０の上端部の肉厚部分の内径が拡径されることにより形成されている。また、第１パイプ２０の上端部の外径は、逆円錐台形状に徐々に拡径された形状になっている。
【００３３】
さらに、図５に示すように、第２パイプ１２とキャップナット１５とを一体とし、フランジ部１３がキャップナット１５の環状天板部を構成している。他の構成については、前記第１実施形態と同様である。
【００３４】
［他の実施形態］
本発明は、前記実施形態に限定されるものではなく、例えば、以下に説明するような実施形態も本発明の技術的範囲に含まれ、さらに、下記以外にも要旨を逸脱しない範囲内で種々変更して実施することができる。
【００３５】
（１）前記実施形態の二重弁機構１０では、逆止弁ユニット４０内に延長管１４の先端部が常に受容される構造になっていたが、図６に示した二重弁機構１０Ｖのように、延長管１４の先端部が逆止弁ユニット４０内に受容されてない構成であってもよいし、図７に示した二重弁機構１０Ｗのように、延長管１４を備えず、フランジ部１３の中央の中間排液口１３Ｋが、可動管４１の上端開口４２に対向して、その中間排液口１３Ｋから排出される液体の全てが可動管４１内に排出される構成にしてもよい。
【００３６】
（２）前記実施形態では、二重弁機構１０と排水口９３との間に封水トラップ９１が配置されていたが、封水トラップ９１を備えずに排水口９３の下流側に二重弁機構１０を配置してもよい。
【００３７】
（３）前記実施形態では、排水管９０に二重弁機構１０を備えた例を示したが、水以外の液体を排出する排液管に二重弁機構１０を備えてもよい。
【符号の説明】
【００３８】
１０    二重弁機構
１１    ユニット収容管
１２    第２パイプ
１３    フランジ部（弁体カバー壁）
１４Ｋ，１３Ｋ    中間排液口
１４    延長管
１５    キャップナット
１６    環状天板部
１７    筒部
１７Ｎ  雌螺子部
２０    第１パイプ
２１    ユニット堰止部
２１Ｎ  雄螺子部
２５    固定弁口
４０    逆止弁ユニット
４１    可動管
４２    上端開口
４３    環状弁体
４９    逆止弁体
９０    排水管（排液管）
９１    封水トラップ
【図１】
2017066604.tif 000003
【図２】
2017066604.tif 000004
【図３】
2017066604.tif 000005
【図４】
2017066604.tif 000006
【図５】
2017066604.tif 000007
【図６】
2017066604.tif 000008
【図７】
2017066604.tif 000009